(57)【要約】【課題】コミュニティの運営に関する情報等をコミュニティに属する人に周知可能にする。【解決手段】管理サーバ１０には、利用者毎に個別に設定された表示情報が個別情報として記憶されている。管理サーバ１０は、利用者毎に記憶された個別情報のうち、居宅に設置される居宅端末３０から送信された識別子が示す利用者に対応する個別情報を読み出す。管理サーバ１０は、読み出された個別情報を居宅端末３０に送信して、個別情報を居宅の壁の一部に設置された表示装置６０に表示させる。【選択図】図１
2018112982.tif 000002
【特許請求の範囲】
【請求項１】
利用者毎に個別に設定された表示情報を個別情報として記憶する個別情報記憶部から、居宅に設置される居宅端末から送信された識別子が示す利用者に対応する個別情報を読み出す読出部と、
前記読出部によって読み出された個別情報を前記居宅端末に送信して、前記個別情報を前記居宅の壁の一部に表示させる送信部と
を備える管理サーバ。
【請求項２】
前記個別情報記憶部には、前記居宅端末と、利用者によって使用される利用者端末との少なくともいずれかから送信された個別編集情報により編集された個別情報が記憶される
請求項１に記載の管理サーバ。
【請求項３】
前記送信部は、前記個別情報とともに、複数の利用者に共通の表示情報である共通情報を前記居宅端末に送信し、前記個別情報と前記共通情報とを前記居宅の壁の一部に表示させる
請求項１又は２に記載の管理サーバ。
【請求項４】
前記個別情報記憶部には、利用者の組合せ毎に、前記個別情報が記憶され、
前記読出部は、前記識別子が示す利用者の組合せに対応する個別情報を読み出す
請求項１から３までのいずれか１項に記載の管理サーバ。
【請求項５】
前記個別情報記憶部には、前記居宅の居住者以外を含むか否かに応じて異なる前記個別情報が記憶され、
前記読出部は、前記居宅の居住者以外を含むことを前記識別子が示すか否かに対応する個別情報を読み出す
請求項４に記載の管理サーバ。
【請求項６】
居宅に設置された居宅端末であり、
管理サーバに識別子を送信して、利用者毎に個別に設定された表示情報である個別情報のうち、前記識別子が示す利用者に対応する個別情報を取得する取得部と、
前記取得部によって受信された個別情報を、前記居宅の壁の一部に表示させる表示制御部と
を備える居宅端末。
【請求項７】
前記個別情報は、利用者の組合せ毎に設定され、
前記居宅端末は、さらに、
前記居宅にいる利用者を特定する特定部
を備え、
前記取得部は、前記特定部によって特定された利用者の組合せを示す識別子を前記管理サーバに送信して、前記識別子が示す利用者の組合せに対応する個別情報を取得する
請求項６に記載の居宅端末。
【請求項８】
前記個別情報は、前記居宅の居住者以外を含むか否かに応じて設定され、
前記特定部は、前記居宅に居住者以外がいるか否かを特定し、
前記取得部は、前記居宅にいる利用者に前記居宅の居住者以外を含むか否かを示す識別子を前記管理サーバに送信して、前記居宅の居住者以外を含む否かに対応する個別情報を取得する
請求項７に記載の居宅端末。
【請求項９】
居宅に設置された居宅端末と、前記居宅の壁の一部を構成するように設置された表示装置と、前記居宅端末を管理する管理サーバとを備える住宅管理システムであり、
前記管理サーバは、
利用者毎に個別に設定された表示情報を個別情報として記憶する個別情報記憶部から、前記居宅端末から送信された識別子が示す利用者に対応する個別情報を読み出す読出部と、
前記読出部によって読み出された個別情報を前記居宅端末に送信して、前記個別情報を前記表示装置に表示させる送信部と
を備える住宅管理システム。
【請求項１０】
利用者毎に個別に設定された表示情報を個別情報として記憶する個別情報記憶部から、居宅に設置される居宅端末から送信された識別子が示す利用者に対応する個別情報を読み出す読出処理と、
前記読出処理によって読み出された個別情報を前記居宅端末に送信して、前記個別情報を前記居宅の壁の一部に表示させる送信処理と
をコンピュータに実行させる管理プログラム。
【請求項１１】
居宅の壁の一部を構成するように設置された表示装置であり、
利用者毎に個別に設定された表示情報である個別情報のうち、前記居宅にいる利用者に対応する個別情報を表示する表示装置。
【発明の詳細な説明】
【技術分野】
【０００１】
この発明は、居宅に情報を表示する技術に関する。
【背景技術】
【０００２】
集合住宅といったコミュニティ内にデジタルサイネージ端末を設置し、コミュニティの運営に関する情報等をデジタルサイネージ端末に表示することで、コミュニティに属する人に対する情報の周知が行われている。
しかし、デジタルサイネージ端末に表示された情報に興味を持つ人は少なく、デジタルサイネージ端末に表示された情報を意識的に見に行く人は少ない。また、デジタルサイネージ端末が設置された場所に長い時間いることも多くないため、デジタルサイネージ端末に表示された情報を無意識に見ることも少ない。そのため、十分に情報の周知ができているとは言えない状態であった。
【０００３】
特許文献１には、集合住宅の各居宅にＳＴＢ（Ｓｅｔ  Ｔｏｐ  Ｂｏｘ）を設置し、ＳＴＢ経由で集合住宅の情報を各居宅に設置されたテレビに表示することが記載されている。
【先行技術文献】
【特許文献】
【０００４】
【特許文献１】特開２００２−１５７１８８号公報
【発明の概要】
【発明が解決しようとする課題】
【０００５】
特許文献１に記載されたように、各居宅に設置されたテレビに情報を表示させるとしても、住人がテレビの電源を入れ、意識的に情報にアクセスする操作を行わなければ、情報は表示されない。そのため、デジタルサイネージ端末に情報を表示する場合と同様に、十分に情報を周知できない。
この発明は、コミュニティの運営に関する情報等をコミュニティに属する人に周知可能にすることを目的とする。
【課題を解決するための手段】
【０００６】
この発明に係る管理サーバは、
利用者毎に個別に設定された表示情報を個別情報として記憶する個別情報記憶部から、居宅に設置される居宅端末から送信された識別子が示す利用者に対応する個別情報を読み出す読出部と、
前記読出部によって読み出された個別情報を前記居宅端末に送信して、前記個別情報を前記居宅の壁の一部に表示させる送信部と
を備える。
【発明の効果】
【０００７】
この発明では、利用者毎に個別に設定された個別情報が、利用者の居宅の壁の一部に表示される。壁は広く、多くの情報を目立つように表示することができる。また、居宅内は、住人が長い時間過ごす場所であり、情報を無意識に見ることも多くなる。さらに、利用者毎に個別に設定された個別情報が表示されるため、利用者が興味を持ち、意識的に見ることも多くなる。その結果、コミュニティの運営に関する情報等をコミュニティに属する人に周知することが可能になる。
【図面の簡単な説明】
【０００８】
【図１】実施の形態１に係る住宅管理システム１の構成図。
【図２】実施の形態１に係る管理サーバ１０の構成図。
【図３】実施の形態１に係る個別情報記憶部１３１に記憶される情報を示す図。
【図４】実施の形態１に係る個別情報の例を示す図。
【図５】実施の形態１に係る共通情報記憶部１３２に記憶される情報を示す図。
【図６】実施の形態１に係る共通情報の例を示す図。
【図７】実施の形態１に係る居宅端末３０の構成図。
【図８】実施の形態１に係る識別子記憶部３３１に記憶される情報を示す図。
【図９】実施の形態１に係る表示装置６０の構成図。
【図１０】実施の形態１に係る個別設定処理のフローチャート。
【図１１】実施の形態１に係る共通設定処理のフローチャート。
【図１２】実施の形態１に係る表示処理のフローチャート。
【図１３】実施の形態１に係る全体情報の例を示す図。
【図１４】変形例４に係る管理サーバ１０の構成図。
【図１５】変形例４に係る居宅端末３０の構成図。
【図１６】実施の形態２に係る個別情報の例を示す図。
【図１７】実施の形態３に係る個別情報の例を示す図。
【発明を実施するための形態】
【０００９】
実施の形態１．
＊＊＊構成の説明＊＊＊
図１を参照して、実施の形態１に係る住宅管理システム１の構成を説明する。
住宅管理システム１は、管理サーバ１０と、コミュニティ内の居宅に設置された居宅端末３０及び表示装置６０と、ＰＣ（Ｐｅｒｓｏｎａｌ  Ｃｏｍｐｕｔｅｒ）及びスマートフォンといった外部端末７０とを備える。図１では、居宅端末３０及び表示装置６０として、居宅Ｘに設置された居宅端末３０Ｘ及び表示装置６０Ｘと、居宅Ｙに設置された居宅端末３０Ｙ及び表示装置６０Ｙとが示されている。
管理サーバ１０は、インターネットに接続されている。居宅に設置された居宅端末３０は、居宅に設置された無線ルータ５０を介してインターネットに接続されている。図１では、居宅端末３０Ｘが無線ルータ５０Ｘを介してインターネットに接続され、居宅端末３０Ｙが無線ルータ５０Ｙを介してインターネットに接続されている。外部端末７０は、インターネットに接続されている。したがって、管理サーバ１０と居宅端末３０と外部端末７０とは、インターネットを介して通信可能になっている。
なお、無線ルータ５０Ｘや５０Ｙは、居宅端末３０Ｘや３０Ｙと有線接続する有線ルータであってもよい。
【００１０】
図２を参照して、実施の形態１に係る管理サーバ１０の構成を説明する。
管理サーバ１０は、コミュニティ向けのサービスを提供するコンピュータである。管理サーバ１０は、コミュニティの管理会社、又は、管理会社が利用するデータセンターといった場所に設置される。
管理サーバ１０は、プロセッサ１１と、メモリ１２と、ストレージ１３と、通信インタフェース１４とのハードウェアを備える。プロセッサ１１は、信号線を介して他のハードウェアと接続され、これら他のハードウェアを制御する。
【００１１】
管理サーバ１０は、機能構成要素として、管理部２１と、読出部２２と、送信部２３とを備える。管理部２１と、読出部２２と、送信部２３との機能はソフトウェアにより実現される。
ストレージ１３には、管理部２１と、読出部２２と、送信部２３との機能を実現するプログラムが記憶されている。このプログラムは、プロセッサ１１によりメモリ１２に読み込まれ、プロセッサ１１によって実行される。これにより、管理部２１と、読出部２２と、送信部２３との機能が実現される。
【００１２】
また、ストレージ１３は、個別情報記憶部１３１と、共通情報記憶部１３２との機能を実現する。
個別情報記憶部１３１には、利用者毎に個別に設定された表示情報が個別情報として記憶される。実施の形態１では、図３に示すように、個別情報記憶部１３１には、利用者ＩＤ毎に、表示情報である個別情報が記憶される。利用者ＩＤは、利用者の識別子である。個別情報は、具体例としては、図４に示すように、表示領域内に、時計とカレンダーと検索窓といったコンテンツを表示する場合を想定し、表示するコンテンツの種類、ならびに各コンテンツのサイズおよびこれらコンテンツを表示する場所などの配置を示す情報である。
共通情報記憶部１３２には、複数の利用者に共通に設定された表示情報が共通情報として記憶される。実施の形態１では、図５に示すように、共通情報記憶部１３２には、種別ＩＤ毎に、表示情報である共通情報が記憶される。種別ＩＤは、例えば、コミュニティの運営に関する情報と、天気及びニュースといった一般的な情報といった共通情報の種別を示す。共通情報は、具体例としては、図６に示すように、表示領域内に、コミュニティ内の修繕のお知らせ、議案に対する投票のお願い、防災情報、交通情報といったコンテンツを表示する場合を想定し、表示する共通情報に関するコンテンツ、ならびに各コンテンツのサイズおよびこれら共通情報に関するコンテンツを表示する場所などの配置を示す情報である。
【００１３】
図７を参照して、実施の形態１に係る居宅端末３０の構成を説明する。
居宅端末３０は、管理サーバ１０が提供するサービスを利用するためのコンピュータである。居宅端末３０は、具体例としては、ＳＴＢ（Ｓｅｔ  Ｔｏｐ  Ｂｏｘ）である。
居宅端末３０は、プロセッサ３１と、メモリ３２と、ストレージ３３と、通信インタフェース３４と、カメラ３５とのハードウェアを備える。プロセッサ３１は、信号線を介して他のハードウェアと接続され、これら他のハードウェアを制御する。
【００１４】
居宅端末３０は、機能構成要素として、特定部４１と、取得部４２と、表示制御部４３と、編集部４４とを備える。特定部４１と、取得部４２と、表示制御部４３と、編集部４４との機能はソフトウェアにより実現される。
ストレージ３３には、特定部４１と、取得部４２と、表示制御部４３と、編集部４４との機能を実現するプログラムが記憶されている。このプログラムは、プロセッサ３１によりメモリ３２に読み込まれ、プロセッサ３１によって実行される。これにより、特定部４１と、取得部４２と、表示制御部４３と、編集部４４との機能が実現される。
【００１５】
また、ストレージ３３は、識別子記憶部３３１の機能を実現する。
図８に示すように、識別子記憶部３３１には、利用者ＩＤ毎に特徴データが記憶される。図８では、居宅Ｘに設置された居宅端末３０の識別子記憶部３３１に記憶された情報を示しており、識別子記憶部３３１には、居宅Ｘの住人それぞれの利用者ＩＤと特徴データとが記憶されている。特徴データは、利用者を特定するための情報である。実施の形態１では、カメラ３５により取得された画像データから利用者の顔を識別することにより利用者を特定する。したがって、特徴データとして、利用者の顔の画像データが記憶されている。
【００１６】
図９を参照して、実施の形態１に係る表示装置６０の構成を説明する。
表示装置６０は、居宅の壁の一部を構成するように設置されたＬＣＤ（Ｌｉｑｕｉｄ  Ｃｒｙｓｔａｌ  Ｄｉｓｐｌａｙ）や電子ペーパーといった表示装置である。表示装置６０がＬＣＤの場合には、壁の一部を構成するように設置されたとは、ＬＣＤを壁に埋め込み、ＬＣＤの表示面と壁とが概ね平面を構成するように設置されたという意味である。また、表示装置６０が電子ペーパーの場合には、壁の一部を構成するように設置されたとは、壁に電子ペーパーが張られたという意味である。
表示装置６０は、居宅の壁の一部を構成するように設置されたスクリーンと投影装置との組合せであってもよい。この場合、壁の一部を構成するように設置されたとは、壁にスクリーンが張られたという意味である。
なお、実施の形態１では、壁は、部屋を隔てるものに限らず、天井壁や床なども含み、居宅の空間を構成する面であればよい。
【００１７】
プロセッサ１１，３１は、演算処理を行うＩＣ（Ｉｎｔｅｇｒａｔｅｄ  Ｃｉｒｃｕｉｔ）である。プロセッサ１１，３１は、具体例としては、ＣＰＵ（Ｃｅｎｔｒａｌ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）、ＧＰＵ（Ｇｒａｐｈｉｃｓ  Ｐｒｏｃｅｓｓｉｎｇ  Ｕｎｉｔ）である。
【００１８】
メモリ１２，３２は、データを一時的に記憶する記憶装置である。メモリ１２，３２は、具体例としては、ＳＲＡＭ（Ｓｔａｔｉｃ  Ｒａｎｄｏｍ  Ａｃｃｅｓｓ  Ｍｅｍｏｒｙ）、ＤＲＡＭ（Ｄｙｎａｍｉｃ  Ｒａｎｄｏｍ  Ａｃｃｅｓｓ  Ｍｅｍｏｒｙ）である。
【００１９】
ストレージ１３，３３は、データを保管する記憶装置である。ストレージ１３，３３は、具体例としては、ＨＤＤ（Ｈａｒｄ  Ｄｉｓｋ  Ｄｒｉｖｅ）である。また、ストレージ１３，３３は、ＳＤ（Ｓｅｃｕｒｅ  Ｄｉｇｉｔａｌ）メモリカード、ＣＦ（ＣｏｍｐａｃｔＦｌａｓｈ）、ＮＡＮＤフラッシュ、フレキシブルディスク、光ディスク、コンパクトディスク、ブルーレイ（登録商標）ディスク、ＤＶＤ（Ｄｉｇｉｔａｌ  Ｖｅｒｓａｔｉｌｅ  Ｄｉｓｋ）といった可搬記憶媒体であってもよい。
【００２０】
通信インタフェース１４，３４は、外部の装置と通信するためのインタフェースである。通信インタフェース１４，３４は、具体例としては、Ｅｔｈｅｒｎｅｔ（登録商標）、ＵＳＢ（Ｕｎｉｖｅｒｓａｌ  Ｓｅｒｉａｌ  Ｂｕｓ）、ＨＤＭＩ（登録商標，Ｈｉｇｈ−Ｄｅｆｉｎｉｔｉｏｎ  Ｍｕｌｔｉｍｅｄｉａ  Ｉｎｔｅｒｆａｃｅ）のポートである。
【００２１】
カメラ３５は、ＣＣＤ（Ｃｈａｒｇｅ−Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等の光に反応する半導体素子を使って映像を電気信号に変換する装置である。
【００２２】
図２では、プロセッサ１１は、１つだけ示されている。しかし、管理サーバ１０は、プロセッサ１１を代替する複数のプロセッサを備えていてもよい。同様に、居宅端末３０は、プロセッサ３１を代替する複数のプロセッサを備えていてもよい。これら複数のプロセッサは、各機能構成要素の機能を実現するプログラムの実行を分担する。それぞれのプロセッサは、プロセッサ１１と同じように、演算処理を行うＩＣである。
【００２３】
＊＊＊動作の説明＊＊＊
図１０から図１３を参照して、実施の形態１に係る住宅管理システム１の動作を説明する。
実施の形態１に係る住宅管理システム１の管理サーバ１０の動作は、実施の形態１に係る管理方法に相当する。また、実施の形態１に係る住宅管理システム１の管理サーバ１０の動作は、実施の形態１に係る管理プログラムの処理に相当する。
実施の形態１に係る住宅管理システム１の動作は、個別設定処理と、共通設定処理と、表示処理とを含む。
【００２４】
図１０を参照して、実施の形態１に係る個別設定処理を説明する。
個別設定処理は、利用者によって任意のタイミングに実行される。
【００２５】
（ステップＳ１１：個別情報編集処理）
居宅端末３０の編集部４４は、個別情報の編集内容を示す個別編集情報を生成する。そして、編集部４４は、生成された個別編集情報を管理サーバ１０に送信する。
具体的には、編集部４４は、利用者ＩＤの入力を受け付ける。編集部４４は、受け付けられた利用者ＩＤを管理サーバ１０に送信して、利用者ＩＤに対応する個別情報を取得する。編集部４４は、取得された個別情報を表示装置６０又は他の表示用の装置に表示する。編集部４４は、表示された個別情報に含まれるコンテンツの追加・変更・削除と、コンテンツの配置の変更といった利用者による操作の入力を入力装置から受け付ける。表示装置６０がタッチパネルといった入力装置を兼ねる装置である場合には、編集部４４は表示装置６０から操作の入力を受け付けてもよい。編集部４４は、受け付けられた操作から個別情報に対する個別編集情報を生成する。編集部４４は、生成された個別編集情報に、受け付けられた利用者ＩＤを含めて、通信インタフェース３４を介して、管理サーバ１０に送信する。
ここでは、編集部４４が個別編集情報を生成するとした。しかし、外部端末７０が個別編集情報を生成してもよい。
【００２６】
なお、個別設定処理が実行される前には、各利用者ＩＤに対応する個別情報として、事前に定められた初期の個別情報が設定されている。初期の個別情報は、例えば、コンテンツを一切含まないものであってもよいし、事前に定められた何らかのコンテンツを含むものであってもよい。
【００２７】
（ステップＳ１２：個別情報更新処理）
管理サーバ１０の管理部２１は、ステップＳ１１で送信された編集情報を取得する。そして、管理部２１は、個別編集情報が示す編集内容により、個別編集情報に含まれる利用者ＩＤに対応する、個別情報記憶部１３１に記憶された個別情報を更新する。
【００２８】
図１１を参照して、実施の形態１に係る共通設定処理を説明する。
共通設定処理は、管理者等によって任意のタイミングに実行される。
【００２９】
（ステップＳ２１：共通情報編集処理）
管理サーバ１０の管理部２１は、共通情報の編集内容を示す共通編集情報を生成する。
具体的には、管理部２１は、種別ＩＤの入力を受け付ける。管理部２１は、受け付けられた種別ＩＤに対応する共通情報を共通情報記憶部１３２から読み出して、表示用の装置に表示する。管理部２１は、表示された個別情報に含まれるコンテンツの追加・変更・削除と、コンテンツの配置の変更といった管理サーバ１０の管理者等による操作の入力を入力装置から受け付ける。管理部２１は、受け付けられた操作から共通情報に対する共通編集情報を生成する。
【００３０】
（ステップＳ２２：共通情報更新処理）
管理サーバ１０の管理部２１は、ステップＳ２１で生成された共通編集情報が示す編集内容により、ステップＳ２１で受け付けられた種別ＩＤに対応する、共通情報記憶部１３２に記憶された共通情報を更新する。
【００３１】
図１２を参照して、実施の形態１に係る表示処理を説明する。
表示処理は、管理サーバ１０と各居宅端末３０との間で定期的に実行される。
【００３２】
（ステップＳ３１：特定処理）
居宅端末３０の特定部４１は、居宅にいる利用者を特定する。
具体的には、特定部４１は、カメラ３５により居宅の画像データを取得する。特定部４１は、取得された画像データと、識別子記憶部３３１に記憶された各特徴データとを照合する。特定部４１は、画像データとマッチングした特徴データと対応して識別子記憶部３３１に記憶された利用者ＩＤの利用者が居宅にいると特定する。
ここでは、居宅端末３０が備えるカメラ３５により取得された画像データを用いて利用者を特定した。しかし、特定部４１は、居宅端末３０と通信インタフェース１４を介して接続された、カメラ３５以外のカメラにより取得された画像データを用いて利用者を特定してもよい。
【００３３】
（ステップＳ３２：ＩＤ送信処理）
居宅端末３０の取得部４２は、ステップＳ３１で特定された利用者の利用者ＩＤを管理サーバ１０に送信する。
具体的には、取得部４２は、ステップＳ３１で特定された利用者の利用者ＩＤを識別子記憶部３３１から読み出す。取得部４２は、読み出された利用者ＩＤを、通信インタフェース３４を介して管理サーバ１０に送信する。
【００３４】
（ステップＳ３３：読出処理）
管理サーバ１０の読出部２２は、ステップＳ３２で送信された利用者ＩＤを受信する。読出部２２は、受信された利用者ＩＤに対応する個別情報を個別情報記憶部１３１から読み出す。また、読出部２２は、各種別ＩＤに対応する共通情報を共通情報記憶部１３２から読み出す。
【００３５】
（ステップＳ３４：送信処理）
管理サーバ１０の送信部２３は、ステップＳ３３で読み出された個別情報及び共通情報を、通信インタフェース１４を介して居宅端末３０に送信して、居宅の壁の一部を構成するように設置された表示装置６０に表示させる。
【００３６】
（ステップＳ３５：取得処理）
居宅端末３０の取得部４２は、ステップＳ３４で送信された個別情報及び共通情報を取得する。つまり、取得部４２は、利用者毎に個別に設定された表示情報である個別情報のうち、ステップＳ３２で管理サーバ１０に送信した識別子が示す利用者に対応する個別情報と、共通情報とを取得する。
具体的には、取得部４２は、ステップＳ３４で送信された個別情報及び共通情報を、通信インタフェース３４を介して受信する。取得部４２は、受信された個別情報及び共通情報をメモリ３２に書き込む。
【００３７】
（ステップＳ３６：表示制御処理）
居宅端末３０の表示制御部４３は、ステップＳ３５で取得された個別情報及び共通情報を表示装置６０に送信して表示させる。
具体的には、表示制御部４３は、個別情報及び共通情報をメモリ３２から読み出す。そして、図１３に示すように、表示制御部４３は、個別情報と、各種別ＩＤに対応する共通情報とを、事前に設定された位置に配置した全体情報を生成する。表示制御部４３は、生成された全体情報を、通信インタフェース３４を介して表示装置６０に送信して、表示装置６０に表示させる。
【００３８】
表示制御部４３は、定期的に個別情報及び各共通情報に設定されたコンテンツを更新して表示させる。具体例としては、コンテンツとして天気予報が設定されている場合には、表示制御部４３は、通信インタフェース３４を介してインターネットから、定期的に最新の天気予報を取得し、取得された天気予報を表示させる。また、コンテンツとしてニュースが設定されている場合には、表示制御部４３は、通信インタフェース３４を介してインターネットから、定期的に最新のニュースを取得し、取得されたニュースを表示させる。
表示制御部４３は、コンテンツに応じて更新する間隔を変えてもよい。また、表示制御部４３は、個別情報及び種別ＩＤに応じて更新する間隔を変えてもよい。例えば、天気予報とニュースといった新しい情報の価値が高いコンテンツの場合には１分毎に更新し、コミュニティの運営に関する情報といった頻繁に更新されないコンテンツの場合には３０分毎に更新するようにしてもよい。
【００３９】
表示制御部４３は、インターネットとの接続に不具合が生じたような場合には、取得済の個別情報及び共通情報の表示を継続する。
【００４０】
＊＊＊実施の形態１の効果＊＊＊
以上のように、実施の形態１に係る住宅管理システム１では、利用者毎に個別に設定された個別情報が、利用者の居宅の壁の一部に表示される。スマートフォン、タブレット、ＰＣといったものの表示領域よりも壁は広く、多くの情報を目立つように表示することができる。また、居宅内は、住人が長い時間過ごす場所であり、情報を無意識に見ることも多くなる。さらに、利用者毎に個別に設定された個別情報が表示されるため、利用者が興味を持ち、意識的に見ることも多くなる。その結果、個別情報とともに表示される共通情報についても、意識的あるいは無意識に見ることになり、コミュニティの運営に関する情報等をコミュニティに属する人に周知することが可能になる。
【００４１】
また、上述した通り壁は広く、表示装置６０を大きくすることができる。そのため、居宅の住人が一度に同じ情報を容易に見ることが可能である。その結果、表示装置６０が居宅の住人のつながる場となる。
【００４２】
＜変形例１＞
表示装置６０は、常に個別情報及び共通情報を表示している、あるいは、利用者が居宅内、又は、居宅内のうち表示装置６０が設置されている部屋にいる場合には常に個別情報及び共通情報を表示しているようにしてもよい。これにより、利用者は表示装置６０の電源を入れるといった操作をすることなく、表示装置６０に表示された情報をいつでも確認することができる。
また、例えば、絵画のようなコンテンツを設定し、表示装置６０をインテリアとして利用することも可能である。
【００４３】
＜変形例２＞
実施の形態１では、個別情報と、各種別ＩＤに対応する共通情報とが事前に設定された位置に配置された全体情報が生成された。しかし、個別情報と、各種別ＩＤに対応する共通情報との配置についても利用者によって設定可能にしてもよい。この場合、利用者に設定された配置についても、管理サーバ１０に記憶される。
【００４４】
＜変形例３＞
実施の形態１では、個別情報と共通情報との両方が表示されるとした。しかし、表示制御部４３は、原則として個別情報だけを表示しておき、定期的に共通情報を表示するようにしてもよい。例えば、絵画のようなインテリアとなる表示情報を個別情報として設定しておけば、普段はインテリアとなる表示情報が表示され、ときどき共通情報を表示されるようになる。
【００４５】
＜変形例４＞
実施の形態１では、図８における識別子記憶部３３１の特徴データが顔の画像に関するものであって、図７のように居宅端末３０が備えたカメラ３５が利用者の顔の画像データを取得して、特定部４１が利用者ＩＤを特定していた。しかし、特徴データを、声、指紋、手形、虹彩などにしても良い。声を特徴データにする場合には、カメラの代わりにマイクによって居宅にいる者の声を取得し、指紋、手形、虹彩などを特徴データにする場合には、それらを読み取る装置を居宅端末３０に備え、居宅にいる者が当該装置に指紋などを読み取らせればよい。
【００４６】
＜変形例５＞
実施の形態１では、管理部２１と、読出部２２と、送信部２３と、特定部４１と、取得部４２と、表示制御部４３と、編集部４４との機能がソフトウェアで実現された。しかし、変形例５として、管理部２１と、読出部２２と、送信部２３と、特定部４１と、取得部４２と、表示制御部４３と、編集部４４との機能はハードウェアで実現されてもよい。この変形例５について、実施の形態１と異なる点を説明する。
【００４７】
図１４を参照して、変形例５に係る管理サーバ１０の構成を説明する。
機能がハードウェアで実現される場合、管理サーバ１０は、プロセッサ１１とメモリ１２とストレージ１３とに代えて、処理回路１５を備える。処理回路１５は、管理部２１と、読出部２２と、送信部２３との機能と、メモリ１２とストレージ１３との機能とを実現する専用の電子回路である。
【００４８】
図１５を参照して、変形例５に係る居宅端末３０の構成を説明する。
機能がハードウェアで実現される場合、居宅端末３０は、プロセッサ３１とメモリ３２とストレージ３３とに代えて、処理回路３６を備える。処理回路３６は、特定部４１と、取得部４２と、表示制御部４３と、編集部４４との機能と、メモリ３２とストレージ３３との機能とを実現する専用の電子回路である。
【００４９】
処理回路１５，３６は、単一回路、複合回路、プログラム化したプロセッサ、並列プログラム化したプロセッサ、ロジックＩＣ、ＧＡ（Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ−Ｐｒｏｇｒａｍｍａｂｌｅ  Ｇａｔｅ  Ａｒｒａｙ）が想定される。
管理サーバ１０の各機能構成要素の機能を１つの処理回路１５で実現してもよいし、各機能構成要素の機能を複数の処理回路１５に分散させて実現してもよい。同様に、居宅端末３０の各機能構成要素の機能を１つの処理回路３６で実現してもよいし、各機能構成要素の機能を複数の処理回路３６に分散させて実現してもよい。
【００５０】
＜変形例６＞
変形例６として、一部の機能がハードウェアで実現され、他の機能がソフトウェアで実現されてもよい。つまり、各機能構成要素のうち、一部の機能がハードウェアで実現され、他の機能がソフトウェアで実現されてもよい。
【００５１】
プロセッサ１１，３１とメモリ１２，３２とストレージ１３，３３と処理回路１５，３６とを、総称して「プロセッシングサーキットリー」という。つまり、各機能構成要素の機能は、プロセッシングサーキットリーにより実現される。
【００５２】
実施の形態２．
実施の形態２は、居宅にいる利用者の組合せに応じた個別情報が表示される点が実施の形態１と異なる。実施の形態２では、この異なる点を説明し、同じ点については説明を省略する。
【００５３】
＊＊＊構成の説明＊＊＊
個別情報記憶部１３１には、１人以上の利用者の組合せ毎に、個別に設定された個別情報が記憶される。実施の形態２では、図１６に示すように、個別情報記憶部１３１には、１つ以上の利用者ＩＤの組合せ毎に、表示情報である個別情報が記憶される。
図１６では、利用者ＩＤの組合せがＵ００１だけの場合には個別情報Ａが対応しており、利用者ＩＤの組合せがＵ００２だけの場合には個別情報Ｂが対応しており、利用者ＩＤの組合せがＵ００１とＵ００２の場合には個別情報Ｃが対応していることが示されている。
【００５４】
＊＊＊動作の説明＊＊＊
図１０及び図１２を参照して、実施の形態２に係る住宅管理システム１の動作を説明する。
実施の形態２に係る住宅管理システム１の管理サーバ１０の動作は、実施の形態２に係る管理方法に相当する。また、実施の形態２に係る住宅管理システム１の管理サーバ１０の動作は、実施の形態２に係る管理プログラムの処理に相当する。
【００５５】
図１０を参照して、実施の形態２に係る個別設定処理を説明する。
ステップＳ１２の処理は、実施の形態１と同じである。
【００５６】
（ステップＳ１１：個別情報編集処理）
居宅端末３０の編集部４４は、利用者ＩＤの組合せの入力を受け付ける。編集部４４は、受け付けられた利用者ＩＤの組合せを管理サーバ１０に送信して、利用者ＩＤの組合せに対応する個別情報を取得する。編集部４４は、利用者による操作の入力を受け付け、受け付けられた操作から個別情報に対する個別編集情報を生成する。編集部４４は、生成された個別編集情報に、受け付けられた利用者ＩＤの組合せを含めて、通信インタフェース３４を介して、管理サーバ１０に送信する。
なお、実施の形態１と同様に、外部端末７０が個別編集情報を生成してもよい。
【００５７】
図１２を参照して、実施の形態２に係る表示処理を説明する。
ステップＳ３４からステップＳ３６の処理は、実施の形態１と同じである。
【００５８】
（ステップＳ３１：特定処理）
居宅端末３０の特定部４１は、居宅にいる各利用者を特定する。つまり、特定部４１は、居宅に複数の利用者がいる場合には、複数の利用者それぞれを特定する。
【００５９】
（ステップＳ３２：ＩＤ送信処理）
居宅端末３０の取得部４２は、ステップＳ３１で特定された各利用者の利用者ＩＤを管理サーバ１０に送信する。
【００６０】
（ステップＳ３３：読出処理）
管理サーバ１０の読出部２２は、ステップＳ３２で送信された利用者ＩＤを受信する。読出部２２は、受信された利用者ＩＤの組合せに対応する個別情報を個別情報記憶部１３１から読み出す。
例えば、図１６に示す例であれば、ステップＳ３２でＵ００１だけが送信された場合には、読出部２２は個別情報Ａを読み出す。また、ステップＳ３２でＵ００１とＵ００２とが送信された場合には、読出部２２は個別情報Ｃを読み出す。
また、読出部２２は、各種別ＩＤに対応する共通情報を共通情報記憶部１３２から読み出す。
【００６１】
＊＊＊実施の形態２の効果＊＊＊
以上のように、実施の形態２に係る住宅管理システム１では、１人以上の利用者の組合せに応じた個別情報が表示される。居宅に１人でいる場合と、居宅に家族全員でいる場合と等により、見たい情報が異なる場合がある。実施の形態２に係る住宅管理システム１では、このように居宅にいる利用者の組合せによって見たい情報が異なる場合に、見たい情報を表示することができる。そのため、利用者が興味を持ち、意識的に見ることも多くなる。その結果、個別情報とともに表示される共通情報についても、意識的あるいは無意識に見ることになり、コミュニティの運営に関する情報等をコミュニティに属する人に周知することが可能になる。
【００６２】
実施の形態３．
実施の形態３は、居宅の居住者以外を含むか否かに応じて異なる個別情報が表示される点が実施の形態２と異なる。実施の形態３では、この異なる点を説明し、同じ点については説明を省略する。
【００６３】
＊＊＊構成の説明＊＊＊
個別情報記憶部１３１には、１人以上の利用者の組合せ毎に、個別に設定された個別情報が記憶される。また、個別情報記憶部１３１には、居宅の居住者以外を含むか否かに応じて異なる個別情報が記憶される。実施の形態３では、居宅の居住者以外を示す識別子として利用者ＩＤ“Ｕ００Ｘ”が用いられる。そして、図１７に示すように、個別情報記憶部１３１には、利用者ＩＤ“Ｕ００Ｘ”を用いて１つ以上の利用者ＩＤの組合せ毎に、表示情報である個別情報が記憶される。
図１７では、利用者ＩＤの組合せがＵ００１だけの場合には個別情報Ａが対応しており、利用者ＩＤの組合せがＵ００２だけの場合には個別情報Ｂが対応しており、利用者ＩＤの組合せがＵ００１とＵ００２の場合には個別情報Ｃが対応していることが示されている。また、利用者ＩＤの組合せがＵ００１とＵ００Ｘの場合には個別情報Ａ’が対応しており、利用者ＩＤの組合せがＵ００２とＵ００Ｘの場合には個別情報Ｂ’が対応しており、利用者ＩＤの組合せがＵ００１とＵ００２とＵ００Ｘの場合には個別情報Ｃ’が対応している。
【００６４】
＊＊＊動作の説明＊＊＊
図１０及び図１２を参照して、実施の形態３に係る住宅管理システム１の動作を説明する。
実施の形態３に係る住宅管理システム１の管理サーバ１０の動作は、実施の形態３に係る管理方法に相当する。また、実施の形態３に係る住宅管理システム１の管理サーバ１０の動作は、実施の形態３に係る管理プログラムの処理に相当する。
【００６５】
図１０を参照して、実施の形態３に係る個別設定処理を説明する。
ステップＳ１２の処理は、実施の形態２と同じである。
【００６６】
（ステップＳ１１：個別情報編集処理）
実施の形態２と同様に、居宅端末３０の編集部４４は、利用者ＩＤの組合せに対応する個別情報の編集内容を示す個別編集情報を生成する。
この際、編集部４４は、居宅の居住者以外が居宅にいる場合と、居宅の居住者以外が居宅にいない場合とで異なる個別情報を表示したい場合には、利用者ＩＤ“Ｕ００Ｘ”を含む利用者ＩＤの組合せと、利用者ＩＤの組合せを含まない利用者ＩＤの組合せとのそれぞれについて別々に個別編集情報を生成する。
なお、実施の形態１と同様に、外部端末７０が個別編集情報を生成してもよい。
【００６７】
図１２を参照して、実施の形態３に係る表示処理を説明する。
ステップＳ３４からステップＳ３６の処理は、実施の形態２と同じである。
【００６８】
（ステップＳ３１：特定処理）
居宅端末３０の特定部４１は、居宅にいる各利用者を特定する。この際、特定部４１は、居宅の居住者以外が居宅にいるか否かも特定する。
具体的には、実施の形態１で説明したように、特定部４１は、居宅の画像データと、識別子記憶部３３１に記憶された各特徴データとを照合して、画像データと照合した特徴データと対応する利用者ＩＤの利用者が居宅にいると特定する。また、特定部４１は、画像データに含まれる人であって、特徴データとマッチングしない人がいる場合には、居宅の居住者以外が居宅にいると特定する。
【００６９】
（ステップＳ３２：ＩＤ送信処理）
居宅端末３０の取得部４２は、ステップＳ３１で特定された各利用者の利用者ＩＤを管理サーバ１０に送信する。取得部４２は、ステップＳ３１で居宅の居住者以外が居宅にいると特定された場合には、利用者ＩＤ“Ｕ００Ｘ”も管理サーバ１０に送信する。
【００７０】
（ステップＳ３３：読出処理）
管理サーバ１０の読出部２２は、ステップＳ３２で送信された利用者ＩＤを受信する。読出部２２は、受信された利用者ＩＤの組合せに対応する個別情報を個別情報記憶部１３１から読み出す。
例えば、図１７に示す例であれば、ステップＳ３２でＵ００１だけが送信された場合には、読出部２２は個別情報Ａを読み出す。また、ステップＳ３２でＵ００１とＵ００Ｘとが送信された場合には、読出部２２は個別情報Ａ’を読み出す。
また、読出部２２は、各種別ＩＤに対応する共通情報を共通情報記憶部１３２から読み出す。
【００７１】
＊＊＊実施の形態３の効果＊＊＊
以上のように、実施の形態３に係る住宅管理システム１では、居宅の居住者以外を含むか否かに応じて異なる個別情報が表示される。友人といった居宅の居住者以外には、居住者だけがいる場合に表示している情報を見られたくない場合がある。また、居宅の居住者以外には、部屋の雰囲気を変えて見せたい場合がある。実施の形態３に係る住宅管理システム１では、居宅の居住者以外を含む場合に、表示を自動的に変えることができる。そのため、利用者が住宅管理システム１を利用し易く、利用者が常時表示装置６０に情報を表示させ続ける可能性が高くなる。その結果、コミュニティの運営に関する情報等をコミュニティに属する人に周知することが可能になる。
【符号の説明】
【００７２】
１  住宅管理システム、１０  管理サーバ、１１  プロセッサ、１２  メモリ、１３  ストレージ、１３１  個別情報記憶部、１３２  共通情報記憶部、１４  通信インタフェース、１５  処理回路、２１  管理部、２２  読出部、２３  送信部、３０  居宅端末、３１  プロセッサ、３２  メモリ、３３  ストレージ、３３１  識別子記憶部、３４  通信インタフェース、３５  カメラ、３６  処理回路、４１  特定部、４２  取得部、４３  表示制御部、４４  編集部、５０  無線ルータ、６０  表示装置、７０  外部端末。
【図１】
2018112982.tif 000003
【図２】
2018112982.tif 000004
【図３】
2018112982.tif 000005
【図４】
2018112982.tif 000006
【図５】
2018112982.tif 000007
【図６】
2018112982.tif 000008
【図７】
2018112982.tif 000009
【図８】
2018112982.tif 000010
【図９】
2018112982.tif 000011
【図１０】
2018112982.tif 000012
【図１１】
2018112982.tif 000013
【図１２】
2018112982.tif 000014
【図１３】
2018112982.tif 000015
【図１４】
2018112982.tif 000016
【図１５】
2018112982.tif 000017
【図１６】
2018112982.tif 000018
【図１７】
2018112982.tif 000019
【手続補正書】
【提出日】平成29年11月29日(2017.11.29)
【手続補正２】
【補正対象書類名】特許請求の範囲
【補正対象項目名】全文
【補正方法】変更
【補正の内容】
【特許請求の範囲】
【請求項１】
利用者毎に個別に設定された表示情報であって、居宅の居住者以外を含む状態であるか否かに応じて設定された表示情報を個別情報として記憶する個別情報記憶部から、居宅に設置される居宅端末から送信された識別子が示す利用者に対応し、かつ、居宅の居住者以外を示す前記識別子が含まれるか否かに対応する個別情報を読み出す読出部と、
前記読出部によって読み出された個別情報を前記居宅端末に送信して、前記個別情報を前記居宅の壁の一部に表示させる送信部と
を備える管理サーバ。
【請求項２】
前記個別情報記憶部には、前記居宅端末と、利用者によって使用される利用者端末との少なくともいずれかから送信された個別編集情報により編集された個別情報が記憶される請求項１に記載の管理サーバ。
【請求項３】
前記送信部は、前記個別情報とともに、複数の利用者に共通の表示情報である共通情報を前記居宅端末に送信し、前記個別情報と前記共通情報とを前記居宅の壁の一部に表示させる
請求項１又は２に記載の管理サーバ。
【請求項４】
前記個別情報記憶部には、利用者の組合せ毎に、前記個別情報が記憶され、
前記読出部は、前記識別子が示す利用者の組合せに対応する個別情報を読み出す
請求項１から３までのいずれか１項に記載の管理サーバ。
【請求項５】
居宅に設置された居宅端末であり、
管理サーバに利用者を示す識別子を送信して、利用者毎に個別に設定された表示情報であって、居宅の居住者以外を含む状態であるか否かに応じて設定された表示情報である個別情報のうち、前記識別子が示す利用者に対応し、かつ、居宅の居住者以外を示す前記識別子が含まれるか否かに対応する個別情報を取得する取得部と、
前記取得部によって受信された個別情報を、前記居宅の壁の一部に表示させる表示制御部と
を備える居宅端末。
【請求項６】
前記個別情報は、利用者の組合せ毎に設定され、
前記居宅端末は、さらに、
前記居宅にいる利用者を特定する特定部
を備え、
前記取得部は、前記特定部によって特定された利用者の組合せを示す識別子を前記管理サーバに送信して、前記識別子が示す利用者の組合せに対応する個別情報を取得する
請求項５に記載の居宅端末。
【請求項７】
居宅に設置された居宅端末と、前記居宅の壁の一部を構成するように設置された表示装置と、前記居宅端末を管理する管理サーバとを備える住宅管理システムであり、
前記管理サーバは、
利用者毎に個別に設定された表示情報であって、居宅の居住者以外を含む状態であるか否かに応じて設定された表示情報を個別情報として記憶する個別情報記憶部から、前記居宅端末から送信された識別子が示す利用者に対応し、かつ、居宅の居住者以外を示す前記識別子が含まれるか否かに対応する個別情報を読み出す読出部と、
前記読出部によって読み出された個別情報を前記居宅端末に送信して、前記個別情報を前記表示装置に表示させる送信部と
を備える住宅管理システム。
【請求項８】
利用者毎に個別に設定された表示情報であって、居宅の居住者以外を含む状態であるか否かに応じて設定された表示情報を個別情報として記憶する個別情報記憶部から、居宅に設置される居宅端末から送信された識別子が示す利用者に対応し、かつ、居宅の居住者以外を示す前記識別子が含まれるか否かに対応する個別情報を読み出す読出処理と、
前記読出処理によって読み出された個別情報を前記居宅端末に送信して、前記個別情報を前記居宅の壁の一部に表示させる送信処理と
をコンピュータに実行させる管理プログラム。